(57)【要約】【課題】  極めて簡単な構造により、取付台板の外周部まで光装飾することが可能なパチンコ機の入賞装置を提供する。【解決手段】  取付台板１１に、ＬＥＤ基板２１のＬＥＤ２２から照射される光の光路ａを当該取付台板１１の外周方向に向かって反射する反射用プリズム部２３を当該取付台板１１の外周のやや内側寄りに一体形成すると共に、反射用プリズム部２３で反射された光を前方に向かって散乱するように断面鋸歯状に形成される散乱用プリズム部２４を当該取付台板１１の外周辺に沿って一体形成したので、反射用プリズム部２３及び散乱用プリズム部２４を取付台板１１と一体形成するだけの簡単な構造で取付台板１１の周辺部を均一に光装飾することができると共に、ＬＥＤ２２が設けられるＬＥＤ基板２１を従来と同じように取付台板１１の後方に対面して配置できる。【選択図】        図１
2012228432.tif 000002
【特許請求の範囲】
【請求項１】
遊技盤の盤面に取り付けられる取付台板を有し、その取付台板に前記遊技盤の遊技領域を転動する遊技球を受け入れるための玉受口又は開閉部材が設けられたパチンコ機の入賞装置において、
該入賞装置は、前記取付台板の後方に複数のＬＥＤが実装されたＬＥＤ基板が配置され、
前記取付台板には、前記ＬＥＤ基板のＬＥＤから照射される光の光路を当該取付台板の外周方向に向かって反射する反射用プリズム部を当該取付台板の外周のやや内側寄りに一体形成すると共に、前記反射用プリズム部で反射された光を前方に向かって散乱するように断面鋸歯状に形成される散乱用プリズム部を当該取付台板の外周辺に沿って一体形成したことを特徴とするパチンコ機の入賞装置。
【請求項２】
前記取付台板は、さらに、前記ＬＥＤ基板のＬＥＤから照射される光の光路を前記反射用プリズム部に向かって屈曲させる入射面が当該取付台板の裏面から当該取付台板の前方内側に向かって傾斜面として形成されると共に、該入射面が当該ＬＥＤ基板のＬＥＤが実装される位置と対応する位置に沿って周回するように形成され、
前記反射用プリズム部は、前記入射面により屈曲された前記ＬＥＤ基板のＬＥＤから照射される光の光路を当該取付台板の外周方向に向かって反射する傾斜面を有する三角形状の反射用開口溝が当該取付台板の前面に開口することにより一体形成されると共に、該反射用開口溝が前記取付台板の外周のやや内側寄りに周回するように形成され、
前記散乱用プリズム部は、前記三角形状の反射用開口溝の傾斜面で反射される光の光路を前記取付台板の前方に散乱する傾斜面を有する三角形状の散乱用開口溝が複数連なって断面鋸歯状に形成されると共に各散乱用開口溝が当該取付台板の前面に開口することにより一体形成されると共に、該断面鋸歯状の散乱用開口溝が前記取付台板の外周に周回するように形成され、
前記ＬＥＤ基板のＬＥＤから照射される光の光路が前記反射用プリズム部で反射されて前記取付台板の外周方向に向かって進むことにより、該光が前記散乱用プリズム部及び当該取付台板の外周において前方に向かって散乱することを特徴とする請求項１記載のパチンコ機の入賞装置。
【発明の詳細な説明】
【技術分野】
【０００１】
本発明は、遊技盤の盤面に取り付けられる取付台板を有し、その取付台板に前記遊技盤の遊技領域を転動する遊技球を受け入れるための玉受口又は開閉部材が設けられたパチンコ機の入賞装置に関するものである。
【背景技術】
【０００２】
従来、パチンコ機の遊技盤の盤面に取付台板によって取り付けられる入賞装置においては、透過性の合成樹脂によって成形された取付台板の後方側からランプやＬＥＤ等の照明装置によって照明することにより、光装飾効果を高めるものが数多く市場に提供されている。このような入賞装置においては、主として取付台板の中央部分を光装飾するものであるが、取付台板の周辺部を光装飾する入賞装置も提案されつつある（特許文献１）。
【先行技術文献】
【特許文献】
【０００３】
【特許文献１】特開２００９−２０２０２９号公報（段落００３１〜００３６及び図４）
【発明の概要】
【発明が解決しようとする課題】
【０００４】
上記した特許文献１に開示される技術は、取付台板の周辺部まで光を透過するために、取付台板の遊技盤の盤面と接する側の取付面に、多数の半円形状の凹部が連続した導光部を形成する必要がある。このため、取付台板の設計が複雑化するという欠点がある。また、導光部に対して光の光軸が盤面と平行となるようにＬＥＤを配置する必要があるため、ＬＥＤが実装されるＬＥＤ基板の入賞装置内での配置箇所や入賞装置の形状が大きく制約されるという欠点がある。
【０００５】
本発明は、上記した事情に鑑みなされたもので、その目的とするところは、極めて簡単な構造により、取付台板の外周部まで光装飾することが可能なパチンコ機の入賞装置を提供することにある。
【課題を解決するための手段】
【０００６】
上記した課題を解決するために、請求項１に係る発明が採用した構成を図面を参照して説明すると、図３及び図４に示すように、遊技盤の盤面に取り付けられる取付台板１１を有し、その取付台板１１に前記遊技盤の遊技領域を転動する遊技球を受け入れるための玉受口１３又は開閉部材（開閉羽根１９）が設けられたパチンコ機の入賞装置１０において、該入賞装置１０は、前記取付台板１１の後方に複数のＬＥＤ２２が実装されたＬＥＤ基板２１が配置され、前記取付台板１１には、前記ＬＥＤ基板２１のＬＥＤ２２から照射される光の光路ａを当該取付台板１１の外周方向に向かって反射する反射用プリズム部２３を当該取付台板１１の外周のやや内側寄りに一体形成すると共に、前記反射用プリズム部２３で反射された光を前方に向かって散乱するように断面鋸歯状に形成される散乱用プリズム部２４を当該取付台板１１の外周辺に沿って一体形成したことを特徴とする。
【０００７】
また、請求項２に係る発明が採用した構成を図面を参照して説明すると、図２乃至図４に示すように、請求項１に記載されるパチンコ機の入賞装置１において、前記取付台板１１は、さらに、前記ＬＥＤ基板２１のＬＥＤ２２から照射される光の光路ａを前記反射用プリズム部２３に向かって屈曲させる入射面１１ａが当該取付台板１１の裏面から当該取付台板１１の前方内側に向かって傾斜面として形成されると共に、該入射面１１ａが当該ＬＥＤ基板２１のＬＥＤ２２が実装される位置と対応する位置に沿って周回するように形成され、前記反射用プリズム部２３は、前記入射面１１ａにより屈曲された前記ＬＥＤ基板２１のＬＥＤ２２から照射される光の光路ａを当該取付台板１１の外周方向に向かって反射する傾斜面を有する三角形状の反射用開口溝２３が当該取付台板１１の前面に開口することにより一体形成されると共に、該反射用開口溝２３を前記取付台板１１の外周のやや内側寄りに周回するように形成され、前記散乱用プリズム部２４は、前記三角形状の反射用開口溝２３の傾斜面で反射される光の光路ａを前記取付台板１１の前方に散乱する傾斜面を有する三角形状の散乱用開口溝２４が複数連なって断面鋸歯状に形成されると共に各散乱用開口溝２４が当該取付台板１１の前面に開口することにより一体形成されると共に、該断面鋸歯状の散乱用開口溝２４が前記取付台板１１の外周に周回するように形成され、前記ＬＥＤ基板２１のＬＥＤ２２から照射される光の光路ａが前記反射用プリズム部２３で反射されて前記取付台板１１の外周方向に向かって進むことにより、該光が前記散乱用プリズム部２４及び当該取付台板１１の外周において前方に向かって散乱することを特徴とする。
【発明の効果】
【０００８】
請求項１に係る発明においては、取付台板１１に、ＬＥＤ基板２１のＬＥＤ２２から照射される光の光路ａを当該取付台板１１の外周方向に向かって反射する反射用プリズム部２３を当該取付台板１１の外周のやや内側寄りに一体形成すると共に、反射用プリズム部２３で反射された光を前方に向かって散乱するように断面鋸歯状に形成される散乱用プリズム部２４を当該取付台板１１の外周辺に沿って一体形成したので、取付台板１１の周辺部を均一に光装飾することができる。この場合、反射用プリズム部２３及び散乱用プリズム部２４を取付台板１１と一体形成するだけの簡単な構造で取付台板１１の周辺部を均一に光装飾することができると共に、取付台板１１に一体形成される反射用プリズム部２３が取付台板１１の後方から照射される光を取付台板１１の周辺部に向かって反射誘導するため、ＬＥＤ２２が設けられるＬＥＤ基板２１を従来と同じように取付台板１１の後方に対面して配置できるので、ＬＥＤ基板２１の配置箇所が大きく制約されることもないし、入賞装置１０の形状も大きく制約されることもない。
【０００９】
また、請求項２に係る発明においては、取付台板１１に、さらに、ＬＥＤ基板２１のＬＥＤ２２から照射される光の光路ａを反射用プリズム部２３に向かって屈曲させる入射面１１ａが当該取付台板１１の裏面から当該取付台板１１の前方内側に向かって傾斜面として形成されると共に、その入射面１１ａが当該ＬＥＤ基板２１のＬＥＤ２２が実装される位置と対応する位置に沿って周回するように形成され、反射用プリズム部２３は、入射面１１ａにより屈曲されたＬＥＤ基板２１のＬＥＤ２２から照射される光の光路ａを当該取付台板１１の外周方向に向かって反射する傾斜面を有する三角形状の反射用開口溝２３が当該取付台板１１の前面に開口することにより一体形成されると共に、その反射用開口溝２３が前記取付台板１１の外周のやや内側寄りに周回するように形成され、そして、散乱用プリズム部２４は、三角形状の反射用開口溝２３の傾斜面で反射される光の光路ａを取付台板１１の前方に散乱する傾斜面を有する三角形状の散乱用開口溝２４が複数連なって断面鋸歯状に形成されると共に各散乱用開口溝２４が当該取付台板１１の前面に開口することにより一体形成されると共に、その断面鋸歯状の散乱用開口溝２４が取付台板１１の外周に周回するように形成されている。これにより、ＬＥＤ基板２１のＬＥＤ２２から照射される光の光路ａが反射用プリズム部２３で反射されて取付台板１１の外周方向に向かって進むことにより、その光が散乱用プリズム部２４及び当該取付台板１１の外周において前方に向かって散乱するので、取付台板１１の周辺部を全周に亘って均一に光装飾することができる。
【図面の簡単な説明】
【００１０】
【図１】遊技盤が取り付けられた遊技盤取付枠の正面図である。
【図２】遊技盤の取り付けられる電チュー式入賞装置の正面から見た斜視図である。
【図３】電チュー式入賞装置の正面図（Ａ）、該正面図におけるＡ−Ａ線断面図（Ｂ）である。
【図４】図３（Ｂ）の断面図におけるＢ部の拡大図（Ｃ）、該断面図のＢ部拡大図における電チュー式入賞装置の取付台板の断面拡大図（Ｄ）である。
【図５】遊技盤に取り付けられる電チュー式及び開閉式一体入賞装置の正面図である。
【発明を実施するための形態】
【００１１】
以下、図面を参照して、本発明の実施形態について説明する。図１は、遊技盤２が取り付けられた遊技盤取付枠１の正面図である。図において、パチンコ機の遊技盤取付枠１には、ほぼ正方形状に構成される遊技盤２が着脱自在に取り付けられている。遊技盤２は、周知のように、発射装置によって打ち出された遊技球を誘導する誘導レールが設けられ、該誘導レールに囲まれるほぼ円形状の範囲が遊技領域を構成している。そして、遊技盤２の遊技領域には、図柄表示装置（図示しない）、電チュー式入賞装置１０、開閉式入賞装置５０、入賞口（図示しない）等の役物や、遊技球を不規則に落下させる障害釘（図示しない）等が設けられている。図示のうち、電チュー式入賞装置１０が本発明に係るパチンコ機の入賞装置を構成するものである。以下、入賞装置としての電チュー式入賞装置１０について説明する。なお、図２に示す電チュー式入賞装置１０や開閉式入賞装置５０の配置位置は、図示の位置に限らず、遊技盤の構成によって任意の位置に配置し得るものである。
【００１２】
先ず、図２乃至図４を参照して電チュー式入賞装置１０について説明する。図２は、遊技盤の取り付けられる電チュー式入賞装置の正面から見た斜視図であり、図３は、電チュー式入賞装置の正面図（Ａ）、該正面図におけるＡ−Ａ線断面図（Ｂ）であり、図４は、図３（Ｂ）の断面図におけるＢ部の拡大図（Ｃ）、該断面図のＢ部拡大図における電チュー式入賞装置の取付台板の断面拡大図（Ｄ）である。
【００１３】
図２において、電チュー式入賞装置１０は、取付穴４５によって遊技盤２の盤面に取り付けられる取付台板１１を有し、その取付台板１１の上部中央に遊技球を受け入れる玉受口１３を構成するＵ字形状の上部玉誘導路部１２が取付台板１１の前後を貫通するように取り付けられている。上部玉誘導路部１２の前面に受口前面装飾板１４が取り付けられ、上部玉誘導路１２の後端に接続するように玉受口１３に受け止められて入賞した遊技球を側方に向かって誘導する上部後方玉誘導路部材１５が取り付けられている。また、取付台板１１の下部中央の前面に下方玉受部１６が一体的に取り付けられ、取付台板１１の下部中央の後面に下方玉誘導路部１８が取り付けられている。下方玉受部１６の前面には下方玉受部前面装飾板１７が取り付けられ、その下方玉受部前面装飾板１７と取付台板１１との間に開閉部材としての一対の開閉羽根１９が開状態と閉状態とに変化するように設けられている。開閉羽根１９は、ソレノイド２０によって開閉駆動されるものである。
【００１４】
本実施形態において、上記した取付台板１１、上部玉誘導路部１２、受口前面装飾板１４及び開閉羽根１９は、透光性を有する透明な合成樹脂（例えば、ポリカーボネイト）によって成形されており、後に詳説するように、ＬＥＤから照射された光によって光装飾効果を発揮できるようになっている。また、受口前面装飾板１４の表面には、インクジェットによりカラー印刷されているが、そのドットの密度を一般的な密度よりも粗にすることにより光の透過率を高めるような工夫がされている。また、開閉羽根１９により受け入れられた遊技球は、下方玉受部１６から下方玉誘導路部１８に導かれて電チュー式入賞装置１０から排出されるようになっている。このため、下方玉受部１６と下方玉誘導部１８とは、連続下り傾斜するように取付台板１１の前後面に取り付けられる（一体成型でも良い）が、取付台板１１には、遊技球が通過する開口が形成されている。
【００１５】
また、電チュー式入賞装置１０には、上記した以外の構成として、取付台板１１の周辺部を光装飾するための複数のＬＥＤ２２が実装された第１ＬＥＤ基板２１と、Ｕ字状の上部玉誘導路部１２を光装飾するためのＬＥＤ２６が実装された第２ＬＥＤ基板２５と、開閉羽根１９を光装飾するためのＬＥＤ２９が実装された第３ＬＥＤ基板２８とが、取付台板１１の後面側に当該取付台板１１と平行となる位置に設けられている。以下、各部材を光装飾するための構成について説明する。
【００１６】
まず、取付台板１１を光装飾するための構成について図２乃至図４を参照して説明する。取付台板１１の後方の所定間隔を置いて第１ＬＥＤ基板２１が設けられている。この第１ＬＥＤ基板２１の前面には、所定間隔を置いて複数のＬＥＤ２２が周設実装されている。そして、この複数のＬＥＤ２２に対応する前方位置に反射用プリズム部としての反射用プリズム部用開口溝２３が位置する。取付台板１１は、図４（Ｃ），（Ｄ）に示すように、ＬＥＤ基板２１のＬＥＤ２２から照射される光の光路ａを反射用プリズム部としての反射用プリズム部用開口溝２３に向かって屈曲させる入射面１１ａが当該取付台板１１の裏面から当該取付台板１１の前方内側に向かって傾斜面として形成されると共に、その入射面１１ａがＬＥＤ基板２１のＬＥＤ２２が実装される位置と対応する位置に沿って周回するように形成されている。詳細に説明すると、取付台板１１の後面であってＬＥＤ基板２１に周設実装されているＬＥＤ２２と対応する位置周辺には、図４（Ｄ）に示すように、取付台板１１の前方内側に向かって傾斜角α（本実施形態では、傾斜角αを１０°とする）を有する傾斜面がＬＥＤ２２から照射される光が入射される入射面１１ａとして形成されている。ＬＥＤ２２から照射される光の光路ａは、入射面１１ａにより反射用プリズム部用開口溝２３に向かって進むように屈曲される。
【００１７】
ここで、傾斜角αを有する傾斜面として入射面１１ａを形成する利点について簡単に説明する。傾斜角αを有する傾斜面として形成された入射面１１ａの長さをＬｍｍとすると、傾斜を有しない単なる取付台板１１の裏面とＬＥＤ基板２１の前面とが平行となっている場合（つまり、傾斜角αが０°となる場合）における入射面の長さＬ’はＬ×ｃｏｓαｍｍとなる。本実施形態では、傾斜角αを１０°としているので、ｃｏｓαの値が値１より小さくなり、入射面の長さＬ’が傾斜角αを有する入射面の長さＬと比べて短くなる。換言すると、傾斜角αを有する傾斜面として入射面１１ａを形成することによって入射面１１ａの長さＬを、傾斜を有しない単なる取付台板１１の裏面とＬＥＤ基板２１の前面とが平行となっている場合における入射面の長さＬ’と比べて長くすることができる。これにより、ＬＥＤ基板２１のＬＥＤ２２から照射される光を受ける面積を大きくすることができるので、反射用プリズム部用開口溝２３に向かって進む光量を増やすことができる。
【００１８】
反射用プリズム部用開口溝２３は、図４（Ｃ）に示すように、入射面１１ａにより屈曲されたＬＥＤ基板２１のＬＥＤ２２から照射される光の光路ａを当該取付台板１１の外周方向に向かって反射する傾斜面を有する断面三角形状の反射用プリズム部用開口溝２３が当該取付台板１１の前面に開口することにより一体形成されると共に、図２及び図３（Ａ）に示すように、反射用プリズム部用開口溝２３が取付台板１１の外周のやや内側寄りに周回するように形成されている。詳細に説明すると、反射用プリズム部用開口溝２３は、その傾斜面が、図４（Ｄ）に示すように、取付台板１１の前面から後方内側に向かって形成されることにより傾斜角（９０°−傾斜角β）（本実施形態では、傾斜角βを５５°とすると、取付台板１１の前面から後方内側に向かって傾斜角が３５°となる）を有するプリズム反射面１１ｂとして形成されている。入射面１１ａにより屈曲されたＬＥＤ基板２１のＬＥＤ２２から照射される光の光路ａは、プリズム反射面１１ｂにより取付台板１１の外周方向に向かって直角に反射されている。なお、反射用プリズム部用開口溝２３の傾斜面（プリズム反射面１１ｂ）の反射率を高めるために、当該傾斜面に反射用塗料を塗布することが望ましい。
【００１９】
また、取付台板１１の反射用プリズム部用開口溝２３の外周側は、図４（Ｃ），（Ｄ）に示すように、反射用プリズム部用開口溝２３で反射された光を前方に向かって散乱するように断面鋸歯状に形成される散乱用プリズム部としての散乱用プリズム部用開口溝２４を当該取付台板１１の外周辺に沿って一体形成されている。したがって、散乱用プリズム部用開口溝２４は、取付台板１１のほぼ全周（図３（Ａ）に示すように、受口前面装飾板１４の上辺部及び下方玉受部前面装飾板１７の下辺部を除く全周）に形成されている。
【００２０】
散乱用プリズム部用開口溝２４は、図４（Ｃ），（Ｄ）に示すように、三角形状の反射用プリズム部用開口溝２３の傾斜面で反射される光の光路ａを取付台板１１の前方に散乱する傾斜面を有する三角形状の散乱用プリズム部用開口溝２４が複数連なって断面鋸歯状に形成されると共に各散乱用プリズム部用開口溝２４が当該取付台板１１の前面に開口することにより一体形成されると共に、その断面鋸歯状の散乱用プリズム部用開口溝２４が取付台板１１の外周に周回するように形成されている。詳細に説明すると、断面鋸歯状の散乱用プリズム部用開口溝２４は、図４（Ｄ）に示すように、ピッチ幅Ｐ、傾斜角θ、及び深さＨが一定となるように形成されている（本実施形態では、ピッチ幅Ｐを０．２５ｍｍ、傾斜角θを６０°、及び深さＨを０．２０ｍｍとする）。散乱用プリズム部用開口溝２４の深さＨを深くした場合には、取付台板１１の周辺部を均一に光装飾することができるものの、散乱用プリズム部用開口溝２４の稜線自体が縞模様として際立って見える一方、散乱用プリズム部用開口溝２４の深さＨを浅くした場合には、散乱用プリズム部用開口溝２４による散乱度合いが小さくなって取付台板１１の外周部を均一に光装飾することができるものの、その輝度は弱くなる。
【００２１】
また、断面鋸歯状の散乱用プリズム部用開口溝２４と対応する取付台板１１の後面には、図４（Ｄ）に示すように、取付台板１１の外周から取付台板１１の前方内側に向かって傾斜角γ（本実施形態では、傾斜角γを１０°とする）を有する傾斜面が散乱用プリズム部用開口溝２４において散乱した際に取付台板１１の後面方向に向かって進む光を散乱用プリズム部用開口溝２４や取付台板１１の外周方向に向かって反射する反射面１１ｃとして形成されると共に、反射面１１ｃが取付台板１１の外周に周回するように形成されている。なお、散乱用プリズム部用開口溝２４での反射率を高めるために、反射面１１ｃに反射用塗料を塗布することが望ましい。
【００２２】
このように、ＬＥＤ基板２１のＬＥＤ２２から照射される光の光路ａが反射用プリズム部としての反射用プリズム部用開口溝２３で反射されて取付台板１１の外周方向に向かって進むことにより、その光が散乱用プリズム部としての散乱用プリズム部用開口溝２４及び当該取付台板１１の外周において前方に向かって散乱するようになっている。
【００２３】
上記したように、本実施形態においては、取付台板１１に、ＬＥＤ基板２１のＬＥＤ２２から照射される光の光路ａを当該取付台板１１の外周方向に向かって反射する反射用プリズム部用開口溝２３を当該取付台板１１の外周のやや内側寄りに一体形成すると共に、反射用プリズム部用開口溝２３で反射された光を前方に向かって散乱するように断面鋸歯状に形成される散乱用プリズム部用開口溝２４を当該取付台板１１の外周辺に沿って一体形成したので、取付台板１１の周辺部を均一に光装飾することができる。この場合、反射用プリズム部用開口溝２３及び散乱用プリズム部用開口溝２４を取付台板１１と一体形成するだけの簡単な構造で取付台板１１の周辺部を均一に光装飾することができると共に、取付台板１１に一体形成される反射用プリズム部用開口溝２３が取付台板１１の後方から照射される光を取付台板１１の周辺部に向かって反射誘導するため、ＬＥＤ２２が設けられるＬＥＤ基板２１を従来と同じように取付台板１１の後方に対面して配置できるので、ＬＥＤ基板２１の配置箇所が大きく制約されることもないし、入賞装置１０の形状も大きく制約されることもない。
【００２４】
また、本実施形態においては、取付台板１１に、さらに、ＬＥＤ基板２１のＬＥＤ２２から照射される光の光路ａを反射用プリズム部開口溝２３に向かって屈曲させる入射面１１ａが当該取付台板１１の裏面から当該取付台板１１の前方内側に向かって傾斜面として形成されると共に、その入射面１１ａが当該ＬＥＤ基板２１のＬＥＤ２２が実装される位置と対応する位置に沿って周回するように形成され、反射用プリズム部用開口溝２３は、入射面１１ａにより屈曲されたＬＥＤ基板２１のＬＥＤ２２から照射される光の光路ａを当該取付台板１１の外周方向に向かって反射する傾斜面を有する三角形状の反射用プリズム部用開口溝２３が当該取付台板１１の前面に開口することにより一体形成されると共に、その反射用プリズム部用開口溝２３が取付台板１１の外周のやや内側寄りに周回するように形成され、そして、散乱用プリズム部用開口溝２４は、三角形状の反射用プリズム部用開口溝２３の傾斜面で反射される光の光路ａを取付台板１１の前方に散乱する傾斜面を有する三角形状の散乱用プリズム部用開口溝２４が複数連なって断面鋸歯状に形成されると共に各散乱用プリズム部用開口溝２４が当該取付台板１１の前面に開口することにより一体形成されると共に、その断面鋸歯状の散乱用プリズム部用開口溝２４が取付台板１１の外周に周回するように形成されている。これにより、ＬＥＤ基板２１のＬＥＤ２２から照射される光の光路ａが反射用プリズム部開口溝２３で反射されて取付台板１１の外周方向に向かって進むことにより、その光が散乱用プリズム部用開口溝２４及び当該取付台板１１の外周において前方に向かって散乱するので、取付台板１１の周辺部を全周に亘って均一に光装飾することができる。
【００２５】
また、本実施形態においては、断面鋸歯状の散乱用プリズム部用開口溝２４の深さＨを０．２０ｍｍとすることにより、散乱用プリズム部用開口溝２４の稜線自体が縞模様として際立って見えることを防止すると共に、光装飾の輝度が弱くなることを防止している。
【００２６】
また、本実施形態においては、ＬＥＤ基板２１のＬＥＤ２２から照射される光の光路ａが入射面１１ａで屈曲されて反射用プリズム部用開口溝２３で直角に反射されることにより取付台板１１の外周方向に向かって進むことにより、その光が散乱用プリズム部用開口溝２４及び当該取付台板１１の外周において前方に向かって散乱するので、ＬＥＤ基板２１に周設されるＬＥＤ２２の光によりＬＥＤ２２と対応する反射用プリズム部用開口溝２３のプリズム反射面１１ｂの一部分が輝いて当該ＬＥＤ基板２１に周設されるＬＥＤ２２の配置が斑点模様としてプリズム反射面１１ｂに映ることを防止することができる。
【００２７】
以上、本発明の実施形態について説明してきたが、実施形態における入賞装置として電チュー式入賞装置１０を例示して説明したが、取付台板を有する入賞装置であればどのようなものでも良い。例えば、本実施形態における、電チュー式入賞装置１０と開閉式入賞装置５０とが取付台板１１に一体的に取り付けられる電チュー式及び開閉式一体入賞装置であっても良い。図５は、遊技盤に取り付けられる電チュー式及び開閉式一体入賞装置の正面図である。なお、図５中においては、図１乃至図４に示す構成と同じ機能を奏する構成に対し同一の符号を付した。電チュー式及び開閉式一体入賞装置８０は、図５に示すように、取付台板１１の中央上部に電チュー式入賞装置１０が取り付けられると共に、取付台板１１の中央に開閉式入賞装置５０が取り付けられている。電チュー式及び開閉式一体入賞装置８０の取付台板１１は、上述した、断面三角形状の反射用プリズム部用開口溝２３及び断面鋸歯状の散乱用プリズム部用開口溝２４が形成されている。電チュー式及び開閉式一体入賞装置８０の取付台板１１に取り付けられる電チュー式入賞装置１０は、上述した電チュー式入賞装置１０と同一の構成であり、遊技球を受け入れる玉受口１３、下方玉受部１６の前面に取り付けられる下方玉受部前面装飾板１７、下方玉受部前面装飾板１７と取付台板１１との間に開閉部材としての一対の開閉羽根１９等が設けられている。電チュー式及び開閉式一体入賞装置８０の取付台板１１に取り付けられる開閉式入賞装置５０は、取付台板１１のほぼ中央に遊技球を受け入れるために長方形状に形成される入賞開口５２が開設され、該入賞開口５２のやや下方の前方に電チュー式入賞装置１０の下方玉受部前面装飾板１７とほぼ同一平面上に配置される開閉扉前面装飾板５１が取付台板１１に取り付けられている。開閉扉前面装飾板５１と取付台板１１との間に開閉部材としての一対の開閉羽根５３が開状態と閉状態とに変化するように設けられている。開閉羽根５３は、図示しないソレノイドによって開閉駆動されるものである。開閉羽根５３が開状態であるときには、取付台板１１の前面から前方に向かって下方玉受部前面装飾板１７と開閉扉前面装飾板５１との間において形成される空間を遊技球が通って入賞開口５２に入球することができる状態となる一方、開閉羽根５３が閉状態であるときには、取付台板１１の前面から前方に向かって下方玉受部前面装飾板１７と開閉扉前面装飾板５１との間において形成される空間を遊技球が通ることが困難な状態となる。なお、電チュー式及び開閉式一体入賞装置８０の配置位置は、遊技盤の構成によって任意の位置に配置し得るものである。
【符号の説明】
【００２８】
２  遊技盤
１０  電チュー式入賞装置（入賞装置）
１１  取付台板
１１ａ  入射面
１１ｂ  プリズム反射面
１１ｃ  反射面
１３  玉受口
１９  開閉羽根（開閉部材）
２１  第１ＬＥＤ基板（ＬＥＤ基板）
２２  ＬＥＤ
２３  反射用プリズム部用開口溝（反射用プリズム部）
２４  散乱用プリズム部用開口溝（散乱用プリズム部）
【図１】
2012228432.tif 000003
【図２】
2012228432.tif 000004
【図３】
2012228432.tif 000005
【図４】
2012228432.tif 000006
【図５】
2012228432.tif 000007